(57)【特許請求の範囲】
【請求項１】
外表面と内表面にシール層（５、８）を有するとともに、その間に外表面側の紙層（６）と内表面側のアルミ層（７）を含む積層体からなる１枚のブランク（１）から組み立てられる６面体形状の紙箱であって、
当該６面体の８つのコーナ部はすべて、ブランク（１）の周端縁よりも内方に位置しており、
（ア）ブランク（１）は、
互いに貼り重ねられて紙箱の正面壁（１１）を構成する正面内側フラップ（１１ｂ）および正面外側フラップ（１１ａ）と、正面外側フラップに折罫を介して連設される天壁（１２）と、正面内側フラップに折罫を介して連設される底壁（１４）と、天壁および底壁に対してそれぞれ折罫を介して連設される背面壁（１３）と、を含んでおり、
（イ）正面外側フラップ（１１ａ）には、
２本の開封用ハーフカット線（２２ａ、２２ｂ）に挟まれた領域が開封用摘み部（２５）として形成されており、当該２本の開封用ハーフカット線（２２ａ、２２ｂ）のそれぞれは、正面外側フラップ（１１ａ）の端縁から天壁（１２）と背面壁（１３）を連設する折罫（ｂ）にまで延在しており、
（ウ）正面内側フラップ（１１ｂ）には、
正面外側フラップに形成された２本の開封用ハーフカット（２２ａ、２２ｂ）に対応する位置に、２本の第１剥離用ハーフカット線（３２ａ、３２ｂ）が形成され、
開封用摘み部（２５）を挿通可能な再封止スリット（３１）と、再封止スリット（３１）に沿ってその両側に少なくとも１本づつの第２剥離用ハーフカット線（３５ａ〜ｃ）とが、２本の第１剥離用ハーフカット線（３２ａ、３２ｂ）と交差して延在しており、
２本の第１剥離用ハーフカット線（３２ａ、３２ｂ）に挟まれた領域において、再封止スリット（３１）を除く領域に剥離層（５０）が設けられており、
（エ）再封止スリット（３１）は、ブランクを貫通するフルカット部分の途中に、未カットの連設部分（３１’）を備えて構成され、
開封用ハーフカット線（２２ａ、２２ｂ）、第１剥離用ハーフカット線（３２ａ、３２ｂ）、および第２剥離用ハーフカット線（３５ａ〜ｃ）は、それぞれ、ブランク（１）を貫通することなく、外表面のシール層（５）から紙層（６）の途中までを切り込んで構成されていることを特徴とする、紙箱。
【請求項２】
上記２本の第１剥離用ハーフカット線（３２ａ、３２ｂ）のそれぞれに対し、隣接する別の第１剥離用ハーフカット線（３２ａ'、３２ｂ'）が少なくとも１本形成されており、
上記再封止スリット（３１）および第２剥離用ハーフカット線（３５ａ〜ｃ）は、すべての第１剥離用ハーフカット線（３２ａ、３２ｂ、３２ａ'、３２ｂ'）と交差して延在しており、
上記剥離層（５０）は、最も外側の２本の第１剥離用ハーフカット線（３２ａ'、３２ｂ'）に挟まれた領域で、再封止スリット（３１）を除く領域に設けられていることを特徴とする、請求項１記載の紙箱。
【請求項３】
上記正面内側フラップ（１１ｂ）の端縁に対して、折罫（ｆ）を介して連設される延長フラップ（１１ｃ）がさらに設けられていて、紙箱内部において、当該延長フラップ（１１ｃ）が箱の外側方向に折り返されていることを特徴とする、請求項１または２記載の紙箱。
【発明の詳細な説明】
【技術分野】
【０００１】
本発明は、菓子等を収容した状態で販売される紙容器に関する。さらに詳しくは、内容物が湿気を嫌う場合に適した、バリア性の高い紙容器に関する。
【背景技術】
【０００２】
紙箱に菓子等を収容した状態で陳列販売することは、従来から普通に行われている。紙箱に収容される内容物がチョコレートやクッキー等、湿気を嫌うものである場合、個々のチョレート、クッキー等を個別に袋に入れた状態として、これを紙箱に収容している。
このような包装形態は、ある意味で過剰包装とも言えるし、開封の手間、資源の無駄、ゴミの増大といった問題につながる。
【０００３】
なお、湿気や酸素に対するバリア性を高めた紙容器についての先行技術としては、次のものを上げることができる。
【先行技術文献】
【特許文献】
【０００４】
【特許文献１】特開平９−４８４２６号公報
【特許文献２】特開平１１−２０８２１号公報
【特許文献３】特開２００３−２３２４号公報
【発明の概要】
【発明が解決しようとする課題】
【０００５】
本発明は、上に説明した過剰包装、開封の手間、資源の無駄、ゴミの増大といった問題を解消するため、バリア性の高い紙容器を提供し、内容物が湿気や酸素等、外気との接触を嫌う場合であっても、当該内容物を個別包装することなく紙箱内に直接収容可能とすることである。
【課題を解決するための手段】
【０００６】
本発明は、上記課題を有効に解決するため創案されたものであり、以下の特徴を供えた紙箱を提供する。
【０００７】
本発明の紙箱は、外表面と内表面にシール層を有するとともに、その間に外表面側の紙層と内表面側のアルミ層を含む積層体からなる１枚のブランクから組み立てられる６面体形状を為している。当該６面体の８つのコーナ部はすべて、ブランクの周端縁よりも内方に位置している。
【０００８】
（ア）ブランクは、「互いに貼り重ねられて紙箱の正面壁を構成する正面内側フラップおよび正面外側フラップ」と「正面外側フラップに折罫を介して連設される天壁」と「正面内側フラップに折罫を介して連設される底壁」と「天壁および底壁に対してそれぞれ折罫を介して連設される背面壁」を含む。
【０００９】
（イ）正面外側フラップには、２本の開封用ハーフカット線に挟まれた領域が「開封用摘み部」として形成されており、当該２本の開封用ハーフカット線のそれぞれは、正面外側フラップの端縁から天壁と背面壁を連設する折罫にまで延在する。
【００１０】
（ウ）正面内側フラップには、正面外側フラップに形成された２本の開封用ハーフカットに対応する位置に、２本の第１剥離用ハーフカット線が形成されている。
そして、「開封用摘み部を挿通可能な再封止スリット」と「再封止スリットに沿ってその両側に少なくとも１本づつの第２剥離用ハーフカット線」が、２本の第１剥離用ハーフカット線と交差して延在している。
２本の第１剥離用ハーフカット線に挟まれた領域において、再封止スリットを除く領域に剥離層が設けられている。
【００１１】
（エ）「再封止スリット」は、ブランクを貫通するフルカット部分の途中に、未カットの連設部分を備えて構成される。
「開封用ハーフカット線」、「第１剥離用ハーフカット線」、および「第２剥離用ハーフカット線」は、それぞれ、ブランクを貫通することなく、外表面のシール層および紙層を切り込んで構成されている。
【発明の効果】
【００１２】
上記構成を備えた本願発明の紙箱においては、以下に説明するように、非常に高い密封性が実現される。
【００１３】
紙箱を構成するブランクは積層構造中にアルミ層を含み、このアルミ層が湿気等に対するバリアとして機能する。
紙箱に形成される「開封用ハーフカット線」、「第１剥離用ハーフカット線」、および「第２剥離用ハーフカット線」は、いずれもブランクの全厚を貫通することなく、アルミ層まで到達しないハーフカットで形成されているので、アルミ層によるバリア特性を損なうことはない。
唯一「再封止スリット」は、ブランクの全厚を貫通するフルカットで構成されるが、この部分は、箱体を組み立てるときシール層によるシールで塞がれるので、密封性を損なうことはない。
【００１４】
紙箱の開封作業は、正面外側フラップに形成した「開封用摘み部」を摘んで行うが、このとき正面内側フラップから正面外側フラップが剥離し易いように「第１剥離用ハーフカット線」および「第２剥離用ハーフカット線」を設けるとともに、これらに囲まれた領域に剥離層を設けている。この囲まれた領域内に「再封止スリット」が存在するが、剥離層は、「再封止スリット」を避けるように配置しているので、「再封止スリット」はシール層によるシールで確実に塞がれて、密封性が損なわれないようにしている。
しかも、「再封止スリット」は、ブランクを貫通するフルカット部分の途中に、未カットの連設部分を備えて構成されているので、不用意に当該スリットが開口して密封が損なわれる、という事態は非常に生じにくくなる。
【００１５】
また、６面体である紙箱の８つのコーナ部はすべて、ブランクの周端縁よりも内方に位置しているので、すべてのコーナ部において隙間（開口）が生じることはなく、したがって、高い密封性を実現することができる。
【図面の簡単な説明】
【００１６】
【図１】本発明の第１実施形態の紙箱を、開封前の状態で示す斜視図。
【図２】図１の紙箱を開封した状態を示す斜視図。
【図３】紙箱を構成するブランクの展開図。
【図４】紙箱のコーナ部とブランク上の位置との対応関係を示す図。
【図５】紙箱を構成するブランクの積層構造を説明する図。
【図６】第２実施形態を説明する図。図３中の拡大図に対応している。
【図７】第３実施形態を説明する図。
【発明を実施するための形態】
【００１７】
本発明の実施形態を添付の図面を参照して、以下詳細に説明する。図１は、第１実施形態の紙箱１０を示している。この紙箱１０は、図３に示した１枚のブランク１から組み立てられる。図１は紙箱１０を開封前の状態で示しており、図２は、これを開封した状態を示している。
【００１８】
本発明では、１枚のブランクから組み立てられる紙箱の密封性を高めるため、以下に説明する種々の構成を採用している。
【００１９】
≪紙箱１０のコーナ部は、すべてブランク１の周縁縁よりも内方に位置している≫
図４は、展開状態のブランク１と、これを組み立てて構成される紙箱１０との対応関係を示している。紙箱１０は、６面体であって、合計８つのコーナ部Ａ〜Ｈを有する。ブランク１上において、これらのコーナ部に対応する箇所Ａ〜Ｈはすべて、ブランク１の周端縁ではなく、それよりも内方側に位置している。
このような構成を採用した結果、組立後の紙箱１０において、すべてのコーナ部Ａ〜Ｈに隙間（開口）が生じることはなく、したがって、高い密封性を実現することができる。
なお、ブランク１の具体的な折り方（折罫の配置）は、図示したものに限られない。
【００２０】
≪ブランク１の構成≫
図３は、紙箱１０を構成するブランク１の展開図を示しており、これを組み立てることで図１、２に示した紙箱１０が構成される。本発明において、ブランク１は、少なくとも次の要素を含んでいる。
（１）正面壁１１を構成する正面外側フラップ１１ａ、正面内側フラップ１１ｂ。
正面内側フラップ１１ｂの外面に正面外側フラップ１１ａを貼り重ねることで、組立後の紙箱１０における正面壁１１が構成される。
（２）天壁１２。
天壁１２は、折罫ａを介して正面外側フラップ１１ａに連設されている。
（３）底壁１４。
底壁１４は、折罫ｄを介して正面内側フラップ１１ｂに連設されている。
（４）背面壁１３。
背面壁１３は、組立後の紙箱１０において正面壁１１に対向しており、折罫ｂを介して天壁１２に、折罫ｃを介して底壁１４に、それぞれ連設されている。
（５）紙箱１０は、六面体であるから、上記各壁部以外にも左右の側壁が存在する。図示した例では、左右側壁は、それぞれブランク１の対応箇所を折り畳むようにシール接着されて密封六面体を構成している。具体的な折り方は、図示したものに限定されない。
【００２１】
≪開封用ハーフカット線２２ａ、２２ｂ、および開封用摘み部２５≫
正面外側フラップ１１ａには、その端縁にそって間隔を置いた２つの切欠部２１ａ、２１ｂを形成している。各切欠部２１ａ、２１ｂから、それぞれ、開封用ハーフカット線２２ａ、２２ｂが延在している。開封用ハーフカット線２２ａ、２２ｂは、最初は互いに平行に延在し、途中から離れる方向に延在し、さらに、天壁１２上を平行に延在して、折罫ｂにまで至る（図３参照）。
正面外側フラップ１１ａ上で、２つの切欠部２１ａ、２１ｂの間の領域（開封用ハーフカット線２２ａ、２２ｂの平行部分に挟まれた領域）は、開封用摘み部２５として機能する。つまり、消費者は、開封用摘み部２５を摘んで、開封用ハーフカット線２２ａ、２２ｂに沿って、紙箱１０を上方へ破り開けることができる。なお、開封後は、後に説明する再封止スリット３１に、開封用摘み部２５を差し込むことで、紙箱１０を再封止することができる（図２参照）。
開封用ハーフカット線２２ａ、２２ｂは、ブランク１を貫通することなく、外表面のシール層５および紙層６を切り込んで構成されている（図５参照）。なお、図５に示した例では、ハーフカットは紙層６を貫通しているが、紙層６の途中までのハーフカットとしてもよい。
【００２２】
正面内側フラップ１１ｂには、図３中に部分的に拡大して示したように、「再封止スリット３１」、「第１剥離用ハーフカット線３２ａ、３２ｂ」、「第２剥離用ハーフカット線３５ａ〜ｃ」が形成されている。これらについて説明する。
【００２３】
≪再封止スリット３１≫
再封止スリット３１は、開封後の紙箱１０を再度封止することを可能とするもので、図５中に示したフルカット部分により、ブランク１の全厚を貫通して形成されている。なお、図３中に拡大して示したように、再封止スリット３１は、フルカット部分の途中に、未カットの連設部分３１'を備えている。
連設部分３１'は、再封止スリット３１が不用意に破断するのを防止する意味で設けている。図示した例では、連設部分３１'を２箇所に設けているが、適宜の数を設定することができる。
【００２４】
≪第１剥離用ハーフカット線３２ａ、３２ｂ≫
正面外側フラップ１１ａには２本の開封用ハーフカット２２ａ、２２ｂが形成されているが、正面内側フラップ１１ｂ上のこれに対応する位置に、２本の第１剥離用ハーフカット線３２ａ、３２ｂを形成している。
この第１剥離用ハーフカット線３２ａ、３２ｂは、後に説明する第２剥離用ハーフカット線３５ａ〜ｃと同様、紙箱１０の開封操作時に、正面内側フラップ１１ｂから正面外側フラップ１１ａを引き剥がし易くするために設けている。
【００２５】
≪第２剥離用ハーフカット線３５ａ〜ｃ≫
第２剥離用ハーフカット線３５ａ〜ｃは、再封止スリット３１に沿ってその両側に少なくとも１本づつ形成される。図３に示した例では、再封止スリット３１の上方に１本、下方に２本の第２剥離用ハーフカット線３５ａ〜ｃを設けているが、少なくとも再封止スリット３１の上下に１本づつ存在すれば、他の構成であってもよい。
この第２剥離用ハーフカット線３５ａ〜ｃは、紙箱１０の開封操作時に、正面内側フラップ１１ｂから正面外側フラップ１１ａを引き剥がし易くするために設けている。
第２剥離用ハーフカット線３５ａ〜ｃが複数本存在するのは、後述する第２実施形態の場合と同じく、位置ズレを吸収する意味がある。詳しくは後述する。
【００２６】
≪剥離層５０≫
図３中に部分的に拡大して示した正面内側フラップ１１ｂにおいて、ヨコ方向に延在する再封止スリット３１および第２剥離用ハーフカット線３５ａ〜ｃは、すべて、タテ方向に延在する第１剥離用ハーフカット線３２ａ、３２ｂの両方と交差して延在している。
両サイドでタテ方向に延在する２本の第１剥離用ハーフカット線３２ａ、３２ｂに挟まれる領域には、再封止スリット３１の部分を除き、剥離層５０を設けている。正面内側フラップ１１ｂ上に灰色で示した領域５０が剥離層が配置される領域である。
ヨコ方向の拡がりに関して言うと、図面上では、剥離層５０が第１剥離用ハーフカット線３２ａ、３２ｂを超えて左右両側に拡がっているが、少なくとも、第１剥離用ハーフカット線３２ａ、３２ｂに挟まれた領域に剥離層５０が存在すれば足りる。
タテ方向の拡がりに関して言うと、再封止スリット３１を避けて、かつ、第２剥離用ハーフカット線３５ａ〜ｃを覆っていれば足りる。
【００２７】
剥離層５０は、紙箱１０の密封性を確保するとともに、開封作業を容易にするために、第１剥離用ハーフカット線３２ａ、３２ｂおよび第２剥離用ハーフカット線３５ａ〜ｃで囲まれた領域に設けられている。
【００２８】
≪積層構造、ハーフカット、フルカット（図５）≫
ブランク１の積層構造は、次の通りである。すなわち、図５に模式的に示したように、ブランク１の外表面と内表面に、それぞれシール層５、８が位置する。そして、両シール層５、８の間において、外表面側の紙層６と内表面側のアルミ層７が形成される。紙箱１０を組み立てたとき、シール層５が箱体の外側に、シール層８が箱体の内側にくる。
最も外側と内側にシール層が存在すること、および両シール層間において、紙層よりもアルミ層の方が内側に存在していれば、積層構造中に他の層が含まれてもよい。
【００２９】
アルミ層７は、紙箱１０に湿気、酸素等に対するバリア特性を与えるものであり、したがって、アルミ層７にはカットを入れないことが好ましい。そのため、「開封用ハーフカット線２２ａ、２２ｂ」、「第１剥離用ハーフカット線３２ａ、３２ｂ」、「第２剥離用ハーフカット線３５ａ〜ｃ」は、すべて、図５中に示したハーフカット部分のように、ブランクを貫通することなく、外表面のシール層５および紙層６を切り込んで構成されている（バリア特性を与えるアルミ層７までは達しない）。なお、図示した例では、ハーフカットは紙層６を貫通しているが、紙層６の途中までのハーフカットとしてもよい。
唯一、再封止スリット３１は、ブランク１全厚を貫通するフルカット部分（図５参照）として構成される。しかし、再封止スリット１の周辺領域は、紙箱１０を組み立てる際に、シール層５、８によるシールで塞がれるので、密封性が損なわれることはない。また、再封止スリット３１を構成するフルカット部分の途中に、未カットの連設部分３１'を備えることで、スリットが不用意に開口してしまうことを防いでいる。
【００３０】
紙箱１０の開封作業は、正面外側フラップ１１ａに形成した開封用摘み部２５を摘んで行うが、このとき正面内側フラップ１１ｂから正面外側フラップ１１ａが剥離し易いように、「第１剥離用ハーフカット線３２ａ、３２ｂ」および「第２剥離用ハーフカット線３５ａ〜ｃ」を設けるとともに、これらに囲まれた領域に剥離層５０を設けている。この囲まれた領域内に再封止スリット３１が存在するが、剥離層５０は、再封止スリット３１を避けるように配置しているので、再封止スリット３１はシール層５、８によるシールで確実に塞がれて、密封性が損なわれないようにしている。
しかも、再封止スリット３１は、ブランク１を貫通するフルカット部分の途中に、未カットの連設部分３１’を備えて構成されているので、不用意に当該スリットが開口して密封が損なわれる、という事態は非常に生じにくくなる。
【００３１】
≪第２実施形態（図６）≫
第２実施形態の紙箱は、上に説明した第１実施形態に対して、第１剥離用ハーフカット線３２ａ、３２ｂの構成のみが異なるので、この点だけを説明する。
第１実施形態では、第１剥離用ハーフカット線３２ａ、３２ｂが両サイドに２本形成されていた。第２実施形態では、これらハーフカット線３２ａ、３２ｂのそれぞれに対し、隣接する別の第１剥離用ハーフカット線３２ａ’、３２ｂ’を少なくとも１本形成している。
【００３２】
このように、第１剥離用ハーフカット線を左右両サイドにそれぞれ複数本づつ設ける意味は、位置ズレの吸収である。すなわち、製造ラインにおいて、正面内側フラップ１１ｂ上に剥離層５０を塗布する際、剥離層５０は、当然に第１剥離用ハーフカット線３２ａ、３２ｂの両方を覆うように配置されるべきものである。
しかし、実際には製造工程上のズレが生じてしまう場合もある。図６に示した第２実施形態のように、左右両サイドにそれぞれ２本づつ第１剥離用ハーフカット線が存在することでこのズレを吸収し、不良品の発生率を低く抑えることができる。
上述の第１実施形態において、第２剥離用ハーフカット線３５ａ〜ｃを複数本設けているのも同じ意味合いを有する。
【００３３】
図６に示した例では、第１剥離用ハーフカット線は両サイドに２本づつ（合計４本）であるが、さらに多くのハーフカット線を設けてもよい。
なお、再封止スリット３１および第２剥離用ハーフカット線３５ａ〜ｃは、すべての第１剥離用ハーフカット線３２ａ、３２ｂ、３２ａ'、３２ｂ'・・・と交差して延在するよう設ける。また、剥離層５０は、最も外側の２本の第１剥離用ハーフカット線（図示の例では３２ａ'、３２ｂ'）に挟まれた領域で、再封止スリット３１を避けて設ける。
【００３４】
≪第３実施形態（図７）≫
第３実施形態の紙箱は、上に説明した第１、２実施形態に対して、ブランク１に延長フラップ１１ｃを設けた点のみが異なるので、この点だけを説明する。図７は、ブランク１'と紙箱１０'の対応関係を示している。
ブランク１'においては、正面内側フラップ１１ｂよりも上方に延長フラップ１１ｃを追加形成している。両者は、折罫ｆを介して連設されている。折罫ｆおよび延長フラップ１１ｃは、組立後の紙箱１０'において、図７の一部破断図に示した位置にくる。すなわち、延長フラップ１１ｃは、折罫ｆにおいて、箱体の外側方向に折り返されている。
【００３５】
ブランク１、１'の積層構造は、図５で説明した通りであるが、ブランク周端縁においては、紙層６が露出することとなる。この露出した端縁に、例えば内容物であるチョコレートやクッキー等が接触すると、紙層６に油分が侵入して、紙箱表面にシミとなって現れる等の悪影響が出る。
これを防ぐため、第３実施形態では、延長フラップ１１ｃを設けて、折罫ｆにて外側方向へ折り返している。これにより、端縁１１ｄに内容物が接触することがなくなるので、端縁１１ｄから油分が積層構造内にしみ込むのを防止できる。
【符号の説明】
【００３６】
１、１’  ブランク
５  シール層
６  紙層
７  アルミ層
８  シール層
１０、１０’  紙箱
１１  正面壁
１１ａ  正面外側フラップ
１１ｂ  正面内側フラップ
１１ｃ  延長フラップ
１１ｄ  端縁
１２  天壁
１３  背面壁
１４  底壁
２１ａ、２１ｂ  切欠部
２２ａ、２２ｂ  開封用ハーフカット
２５  開封用摘み部
３１  再封止スリット
３１'  連設部分
３２ａ、３２ｂ、３２ａ’、３２ｂ’  第１剥離用ハーフカット線
３５ａ、３５、３５ｃ  第２剥離用ハーフカット線
５０  剥離層
【図１】
0005482452.tif 000002
【図２】
0005482452.tif 000003
【図３】
0005482452.tif 000004
【図４】
0005482452.tif 000005
【図５】
0005482452.tif 000006
【図６】
0005482452.tif 000007
【図７】
0005482452.tif 000008